【手続補正書】
【提出日】平成23年7月12日(2011.7.12)
【手続補正１】
【補正対象書類名】特許請求の範囲
【補正対象項目名】全文
【補正方法】変更
【補正の内容】
【特許請求の範囲】
【請求項１】
（ａ）時間領域及び周波数領域でパイロットパターンが反復される区間であるスロットの大きさを決定する段階と、
（ｂ）前記時間領域スロット内の最初のＯＦＤＭＡシンボルで、任意の副搬送波をパイロット挿入位置に決定する段階と、
（ｃ）前記時間領域スロット内の最初以後の現在ＯＦＤＭＡシンボルの各残余副搬送波（前記時間領域スロット内の全ての以前ＯＦＤＭＡシンボルのパイロットが挿入された副搬送波を除外した副搬送波）に対して、前記時間領域スロット内の全ての以前ＯＦＤＭＡシンボルのパイロットから前記各残余副搬送波までの周波数−時間距離を計算する段階と、
（ｄ）前記残余副搬送波の各周波数−時間距離集合内の最小距離を比較する段階と、
（ｅ）前記周波数−時間最小距離が最大である副搬送波をパイロット挿入位置に決定する段階とを含むことを特徴とするパイロットパターン生成方法。
【請求項２】
前記周波数−時間最小距離が最大である副搬送波が一つになるまで、前記各周波数−時間距離集合内の第１最小距離から最後の最小距離まで前記（ｄ）段階を反復するが、
現在周波数−時間最小距離の最大値が同一である副搬送波に対して、次の周波数−時間最小距離を比較することを特徴とする請求項１に記載のパイロットパターン生成方法。
【請求項３】
前記第１最小距離は、前記周波数−時間距離集合内の最小値であり、前記最後の最小距離は、前記周波数−時間距離集合内の最大値であることを特徴とする請求項２に記載のパイロットパターン生成方法。
【請求項４】
（ｆ）前記周波数−時間距離集合内の最後の最小距離比較でも、最大値が同一である副搬送波が二つ以上存在する場合、前記最大値が同一である各副搬送波に対して、前記時間領域スロット内の全ての以前ＯＦＤＭＡシンボルのパイロットから周波数方向に、前記最大値が同一である各副搬送波までの周波数距離を計算する段階と、
（ｇ）前記周波数距離集合内の最小距離を比較する段階と、
（ｈ）前記周波数最小距離が最大である副搬送波をパイロット挿入位置に決定する段階とをさらに含むことを特徴とする請求項２に記載のパイロットパターン生成方法。
【請求項５】
前記周波数最小距離が最大である副搬送波が一つになるまで、前記各周波数距離集合内の第１最小距離から最後の最小距離まで前記（ｇ）段階を反復するが、
現在周波数最小距離の最大値が同一である副搬送波に対して、次の周波数最小距離を比較することを特徴とする請求項４に記載のパイロットパターン生成方法。
【請求項６】
前記周波数距離集合内の第１最小距離は、前記周波数距離集合内の最小値であり、前記周波数距離集合内の最後の最小距離は、前記周波数距離集合内の最大値であることを特徴とする請求項５に記載のパイロットパターン生成方法。
【請求項７】
（ｉ）前記周波数距離集合内の最後の最小距離比較でも、最大値が同一である副搬送波が二つ以上存在する場合、前記周波数距離集合内の最後の最小距離の最大値が同一である副搬送波のうち１つの副搬送波をパイロット挿入位置に決定する段階をさらに含むことを特徴とする請求項５に記載のパイロットパターン生成方法。
【請求項８】
前記周波数−時間距離は、前記各残余副搬送波に対して、前記以前ＯＦＤＭＡシンボルのパイロットから前記各残余副搬送波までの周波数方向と時間方向とでの距離の和であることを特徴とする請求項１に記載のパイロットパターン生成方法。
【請求項９】
前記時間領域スロット内の最後のＯＦＤＭＡシンボルまで、前記（ｃ）段階ないし前記（ｅ）段階を反復することを特徴とする請求項１に記載のパイロットパターン生成方法。
【請求項１０】
（ａ）所定基準によって、前記端末の最小バースト割当てサイズを決定する段階と、
（ｂ）前記最小バースト割当てサイズによってチャンネル推定のためのパイロット間隔が変更可能であるパイロットパターンを生成する段階と、
（ｃ）前記パイロットパターンを基に送信信号を生成する段階とを含むことを特徴とする基地局の送受信方法。
【請求項１１】
前記（ａ）段階は、
前記端末からのチャンネル状態情報または既設定のチャンネル状態決定基準によって、前記端末の最小バースト割当てサイズを決定する段階を含むことを特徴とする請求項１０に記載の基地局の送受信方法。
【請求項１２】
前記（ａ）段階は、
前記チャンネル状態が良好であるほど、前記最小バースト割当てサイズを小さく決定する段階を含むことを特徴とする請求項１０に記載の基地局の送受信方法。
【請求項１３】
前記パイロットパターンは、
時間領域及び周波数領域で前記パイロットパターンが反復される区間であるスロット内の各ＯＦＤＭＡシンボルのパイロット位置を、前記スロット内の以前ＯＦＤＭＡシンボルのパイロット位置から前記以前ＯＦＤＭＡシンボルのパイロットが挿入された副搬送波を除外した現在ＯＦＤＭＡシンボルの副搬送波まで計算された時間方向と周波数方向での距離を基に決定することによって、生成されることを特徴とする請求項１２に記載の基地局の送受信方法。
【請求項１４】
前記最小バースト割当てサイズは、１ ＯＦＤＭＡシンボルから前記時間領域スロット大きさまでの範囲であることを特徴とする請求項１３に記載の基地局の送受信方法。
【請求項１５】
前記（ａ）段階は、
（ａ１）所定基準によってチャンネル環境を決定する段階と、
（ａ２）前記チャンネル環境を基に、前記端末の最小バースト割当てサイズを決定する段階と、
（ａ３）前記最小バースト割当てサイズ情報を含むアップリンク／ダウンリンクバースト領域を決定する段階とを含むことを特徴とする請求項１０に記載の基地局の送受信方法。
【請求項１６】
前記チャンネル環境は、前記基地局に対する端末の位置情報を含んで設定されることを特徴とする請求項１５に記載の基地局の送受信方法。
【請求項１７】
（ｄ）前記決定されたアップリンクバースト領域を基に、チャンネル推定遅延後のチャンネルを前記端末から受信した信号として推定する段階をさらに含むことを特徴とする請求項１５に記載の基地局の送受信方法。
【請求項１８】
（ａ）基地局から、チャンネル推定のためのパイロット間隔が変更可能であるパイロットパターンによって伝送される信号を受信する段階と、
（ｂ）前記受信信号からアップリンク／ダウンリンクバースト領域を検出する段階と、
（ｃ）前記検出されたダウンリンクバースト領域の情報を基に、前記受信信号に対してチャンネル推定遅延後のチャンネルを推定する段階とを含むことを特徴とする端末の送受信方法。
【請求項１９】
前記（ｂ）段階は、
前記受信信号のフレームヘッダから、アップリンク／ダウンリンクバースト領域を検出する段階を含むことを特徴とする請求項１８に記載の端末の送受信方法。
【請求項２０】
（ｄ）チャンネル推定のためのパイロット間隔が変更可能であるパイロットパターンを生成する段階と、
（ｅ）前記検出されたアップリンクバースト領域情報を基に決定されたアップリンクバースト領域に、前記パイロットパターンによって送信信号を生成する段階とをさらに含むことを特徴とする請求項１９に記載の端末の送受信方法。
【請求項２１】
前記パイロットパターンは、
時間領域及び周波数領域でパイロットパターンが反復される区間であるスロット内の各ＯＦＤＭＡシンボルのパイロット位置を、前記スロット内の以前ＯＦＤＭＡシンボルのパイロット位置から前記以前ＯＦＤＭＡシンボルのパイロットが挿入された副搬送波を除外した現在ＯＦＤＭＡシンボルの副搬送波まで計算された時間方向と周波数方向での距離を基に決定することによって、生成されることを特徴とする請求項２０に記載の端末の送受信方法。
【請求項２２】
時間領域及び周波数領域でパイロットパターンが反復される区間であるスロットの大きさを決定するスロット決定部と、
前記スロット内の最初以後の現在ＯＦＤＭＡシンボルの各残余副搬送波（前記時間領域スロット内の全ての以前ＯＦＤＭＡシンボルのパイロットが挿入された副搬送波を除外した副搬送波）に対して、前記時間領域スロット内の全ての以前ＯＦＤＭＡシンボルのパイロットから前記各残余副搬送波までの周波数−時間距離を計算する距離計算部と、
前記残余副搬送波の各周波数−時間距離集合内の最小距離を比較する距離比較部と、
前記周波数−時間最小距離が最大である副搬送波をパイロット挿入位置に決定し、前記スロット内の最初のＯＦＤＭＡシンボルでの任意の副搬送波をパイロット挿入位置に決定する位置決定部とを備えることを特徴とするパイロットパターン生成装置。
【請求項２３】
前記距離比較部は、
前記周波数−時間最小距離が最大である副搬送波が一つになるまで、前記各周波数−時間距離集合内の第１最小距離から最後の最小距離まで比較するが、
現在周波数−時間最小距離の最大値が同一である副搬送波に対して、次の周波数−時間最小距離を比較することを特徴とする請求項２２に記載のパイロットパターン生成装置。
【請求項２４】
前記第１最小距離は、前記周波数−時間距離集合内の最小値であり、前記最後の最小距離は、前記周波数−時間距離集合内の最大値であることを特徴とする請求項２３に記載のパイロットパターン生成装置。
【請求項２５】
前記距離計算部は、前記周波数−時間距離集合内の最後の最小距離比較でも、最大値が同一である副搬送波が二つ以上存在する場合、前記最大値が同一である各副搬送波に対して、前記時間領域スロット内の全ての以前ＯＦＤＭＡシンボルのパイロットから周波数方向に、前記最大値が同一である各副搬送波までの周波数距離を計算し、
前記距離比較部は、前記周波数距離集合内の最小距離を比較し、
前記位置決定部は、前記周波数最小距離が最大である副搬送波をパイロット挿入位置に決定することを特徴とする請求項２４に記載のパイロットパターン生成装置。
【請求項２６】
前記距離比較部は、
前記周波数最小距離が最大である副搬送波が一つになるまで、前記各周波数距離集合内の第１最小距離から最後の最小距離まで比較するが、
現在周波数最小距離の最大値が同一である副搬送波に対して、次の周波数最小距離を比較することを特徴とする請求項２５に記載のパイロットパターン生成装置。
【請求項２７】
前記周波数距離集合内の第１最小距離は、前記周波数距離集合内の最小値であり、前記周波数距離集合内の最後の最小距離は、前記周波数距離集合内の最大値であることを特徴とする請求項２６に記載のパイロットパターン生成装置。
【請求項２８】
前記位置決定部は、
前記周波数距離集合内の最後の最小距離比較でも、最大値が同一である副搬送波が二つ以上存在する場合、前記周波数距離集合内の最後の最小距離の最大値が同一である副搬送波のうち１つの副搬送波位置をパイロット挿入位置に決定することを特徴とする請求項２６に記載のパイロットパターン生成装置。
【請求項２９】
前記周波数−時間距離は、前記各残余副搬送波に対して、前記以前ＯＦＤＭＡシンボルのパイロットから前記各残余副搬送波までの周波数方向と時間方向とでの距離の和であることを特徴とする請求項２２に記載のパイロットパターン生成装置。
【請求項３０】
前記時間領域スロット内の最後のＯＦＤＭＡシンボルまで距離比較及び位置決定を反復することを特徴とする請求項２２に記載のパイロットパターン生成装置。
【請求項３１】
所定基準によって端末の最小バースト割当てサイズを決定するバースト決定部と、
前記最小バースト割当てサイズによってチャンネル推定のためのパイロット間隔が変更可能であるパイロットパターンを生成するパイロットパターン生成部と、
前記パイロットパターンを基に送信信号を生成する送信信号生成部とを備える基地局の送受信装置。
【請求項３２】
前記バースト決定部は、
前記端末からのチャンネル状態情報または既設定のチャンネル状態決定基準によって、前記端末の最小バースト割当てサイズを決定することを特徴とする請求項３１に記載の基地局の送受信装置。
【請求項３３】
前記バースト決定部は、
前記チャンネル状態が良好であるほど、前記最小バースト割当てサイズを小さく決定することを特徴とする請求項３１に記載の基地局の送受信装置。
【請求項３４】
前記パイロットパターン生成部は、
時間領域及び周波数領域で前記パイロットパターンが反復される区間であるスロット内の各ＯＦＤＭＡシンボルのパイロット位置を、前記スロット内の以前ＯＦＤＭＡシンボルのパイロット位置から前記以前ＯＦＤＭＡシンボルのパイロットが挿入された副搬送波を除外した現在ＯＦＤＭＡシンボルの副搬送波まで計算された時間方向と周波数方向での距離を基に決定することによって、生成されることを特徴とする請求項３１に記載の基地局の送受信装置。
【請求項３５】
前記最小バースト割当てサイズは、１ ＯＦＤＭＡシンボルから前記時間領域スロット大きさまでの範囲であることを特徴とする請求項３４に記載の基地局の送受信装置。
【請求項３６】
前記バースト決定部は、
所定基準によってチャンネル環境を決定するチャンネル環境決定部と、
前記チャンネル環境を基に、前記端末の最小バースト割当てサイズを決定する最小バースト割当てサイズ決定部と、
前記最小バースト割当てサイズ情報を含むアップリンク／ダウンリンクバースト領域を決定するアップリンク／ダウンリンクバースト領域決定部とを備える特徴とする請求項３１に記載の基地局の送受信装置。
【請求項３７】
前記チャンネル環境は、前記基地局に対する端末の位置情報を含んで設定されることを特徴とする請求項３６に記載の基地局の送受信装置。
【請求項３８】
前記決定されたアップリンクバースト領域を基に、チャンネル推定遅延後のチャンネルを前記端末から受信した信号として推定する受信信号処理部をさらに備えることを特徴とする請求項３６に記載の基地局の送受信装置。
【請求項３９】
基地局から、チャンネル推定のためのパイロット間隔が変更可能であるパイロットパターンによって伝送される信号を受信する信号受信部と、
前記受信信号からアップリンク／ダウンリンクバースト領域を検出するバースト領域検出部と、
前記検出されたダウンリンクバースト領域の情報を基に、前記受信信号に対してチャンネル推定遅延後のチャンネルを推定する受信信号処理部とを備えることを特徴とする端末の送受信装置。
【請求項４０】
バースト領域検出部は、
前記受信信号のフレームヘッダから、アップリンク／ダウンリンクバースト領域を検出することを特徴とする請求項３９に記載の端末の送受信装置。
【請求項４１】
チャンネル推定のためのパイロット間隔が変更可能であるパイロットパターンを生成するパイロットパターン生成部と、
前記検出されたアップリンクバースト領域情報を基に決定されたアップリンクバースト領域に、前記パイロットパターンによって送信信号を生成する送信信号生成部と、をさらに備えることを特徴とする請求項４０に記載の端末の送受信装置。
【請求項４２】
前記パイロットパターンは、
時間領域及び周波数領域で前記パイロットパターンが反復される区間であるスロット内の各ＯＦＤＭＡシンボルのパイロット位置を、前記スロット内の以前ＯＦＤＭＡシンボルのパイロット位置から前記以前ＯＦＤＭＡシンボルのパイロットが挿入された副搬送波を除外した現在ＯＦＤＭＡシンボルの副搬送波まで計算された時間方向と周波数方向での距離を基に決定することによって、生成されることを特徴とする請求項４１に記載の端末の送受信装置。
【請求項４３】
請求項１ないし請求項２１のうちいずれか１項に記載の方法をコンピュータで実行させるためのプログラムを記録したコンピュータで読み取り可能な記録媒体。
【請求項４４】
複数の副搬送波のうち少なくとも一部にパイロットが挿入されたＯＦＤＭ信号を伝送する方法において、
前記挿入されるパイロットが反復パターンをなすようにＯＦＤＭ信号を生成する段階を含み、前記反復パターンは、
一番目ＯＦＤＭシンボルで前記少なくとも一部の副搬送波のうち少なくとも一つにパイロットが割り当てられ、
二番目及び以降のＯＦＤＭシンボルでは前記少なくとも一部の副搬送波のうち以前ＯＦＤＭシンボルでパイロットが割り当てられた副搬送波との周波数-時間距離が最大になる前記少なくとも一部の副搬送波のうちいずれか一つにパイロットが割り当てられることを特徴とするＯＦＤＭ信号の伝送方法。
【請求項４５】
複数の副搬送波のうち少なくとも一部にパイロットが挿入されたＯＦＤＭ信号を受信する方法において、
前記挿入されるパイロットが反復パターンをなすＯＦＤＭ信号を受信する段階を含み、前記反復パターンは、
一番目ＯＦＤＭシンボルで前記少なくとも一部の副搬送波のうち少なくとも一つにパイロットが割り当てられ、
二番目及び以降のＯＦＤＭシンボルでは前記少なくとも一部の副搬送波のうち以前ＯＦＤＭシンボルでパイロットが割り当てられた副搬送波との周波数-時間距離が最大になる前記少なくとも一部の副搬送波のうちいずれか一つにパイロットが割り当てられることを特徴とするＯＦＤＭ信号の受信方法。